(57)【要約】  【課題】  一瞥しただけで複数のチャンネルにおける放送内容を直感的に容易に把握できるＥＰＧシステムを実現する番組表映像生成装置，番組表映像制御装置及びそれを具備するテレビジョン受像機を提供することにある。  【解決手段】  テレビ放送における各チャンネルと放送時間帯とに対応付けられた複数の番組内容表示欄が配列された番組表であって，現在放送中の番組に対応する前記番組内容表示欄に各チャンネルの番組の映像信号に基づく画像が嵌め込まれた前記番組表の映像信号を生成する番組映像信号生成装置，番組表映像信号制御装置，及びそれを具備したテレビジョン受像機として構成される。【選択図】  図２
2006100949.tif 000002
【特許請求の範囲】
【請求項１】
テレビ放送番組の番組表の映像信号を生成する番組表映像信号生成装置であって，
テレビ放送における各チャンネルと放送時間帯とに対応づけられた複数の番組内容表示欄が配列された番組表であって現在放送中の番組に対応する前記番組内容表示欄に各チャンネルの番組の映像信号に基づく画像が嵌め込まれた前記番組表の映像信号を生成してなることを特徴とする番組表映像信号生成装置。
【請求項２】
現在放送中の番組に対応する番組内容表示欄に嵌め込まれる画像がリアルタイムの動画である請求項１に記載の番組表映像信号生成装置。
【請求項３】
放送される番組の内容及びその放送時間帯に関する番組情報を表す番組情報信号を通信回線経由で取得する番組情報信号取得手段を具備した請求項１又は２に記載の番組表映像信号生成装置。
【請求項４】
放送される番組の内容及びその放送時間帯に関する番組情報を表す番組情報信号を放送信号から抽出して取得する番組情報信号取得手段を具備した請求項１又は２に記載の番組表映像信号生成装置。
【請求項５】
テレビ放送番組の番組表の映像信号を生成してその映像を表示手段に表示させる番組表映像制御装置であって，
複数チャンネルの番組の映像信号を含むテレビ放送信号から複数チャンネルの番組の映像信号を並行して抽出する複数映像信号抽出手段と，
前記テレビ放送信号により放送される番組の内容及びその放送時間帯に関する番組情報を表す番組情報信号を取得する番組情報信号取得手段と，
前記番組情報に基づいて，各チャンネルと放送時間帯とに対応づけられた複数の番組内容表示欄が配列された番組表であって現在放送中の番組に対応する前記番組内容表示欄には前記複数映像信号抽出手段により抽出された各チャンネルの番組の映像信号に基づく画像が嵌め込まれた前記番組表の映像信号を生成する番組表映像信号生成手段と，
を具備してなることを特徴とする番組表映像制御装置。
【請求項６】
前記番組情報信号取得手段が，前記テレビ放送信号からこれに含まれる前記番組情報信号を抽出して取得するものである請求項５に記載の番組表映像制御装置。
【請求項７】
前記番組情報信号取得手段が，通信回線を経由して前記番組情報信号を取得するものである請求項５に記載の番組表映像制御装置。
【請求項８】
前記番組表映像信号生成手段が，現在放送中の番組以外の番組に対応付けられた前記番組内容表示欄に前記番組情報に含まれる番組予告画像が嵌め込まれた前記番組表の映像信号を生成してなる請求項５〜７のいずれかに記載の番組表映像制御装置。
【請求項９】
操作入力に従って複数の前記番組内容表示欄の中からいずれかの番組内容表示欄を選択する番組内容表示欄選択手段を具備し，
前記番組表映像信号生成手段が，前記番組内容表示欄選択手段により選択された前記番組内容表示欄における表示内容を拡大表示させる映像信号を生成してなる請求項５〜８のいずれかに記載の番組表映像制御装置。
【請求項１０】
請求項５〜９のいずれかに記載の番組表映像制御装置と，該番組表映像制御装置により生成された前記番組表の映像信号を出力する表示手段と，を具備してなることを特徴とするテレビジョン受像機。
【発明の詳細な説明】
【技術分野】
【０００１】
本発明は，テレビ放送番組の番組表の映像信号を生成してその映像を表示手段に表示させる番組表映像制御装置及びそれを具備するテレビジョン受像機に関し，特に，現在放送中の複数チャンネル各々の画像を前記番組表に嵌め込むことにより，視聴者が現在放送中の各チャンネルの番組の内容を容易に把握できるようにする番組表映像信号生成装置，番組表映像制御装置及びそれを具備するテレビジョン受像機に関するものである。
【背景技術】
【０００２】
近年，ＣＡＴＶ放送や衛星放送等，デジタル信号を用いた多チャンネル放送が急速に普及しつつあり，各家庭で受信可能なチャンネル数が飛躍的に増大しつつある。
従来，視聴者による番組の選択は，視聴者が新聞等に掲載されている番組欄を参照しつつ，テレビジョン受像機のモニタに表示させるチャンネルを変更（選択）しながら逐次各チャンネルの映像を確認することにより行われていた。ところが，このような方法では，昨今において数が増大したチャンネルの中から視聴者が所望するチャンネルを選択するのには時間を要し，大変不便である。そこで，昨今のテレビ受像機には，複数のチャンネル各々で現在から将来に渡って放送される番組の内容，及びその放送時間帯に関する情報（以下，ＥＰＧ情報という）が重畳された放送信号から，そのＥＰＧ情報を抽出してテレビジョン受像機の表示部（ディスプレイ等）に表示させる，いわゆるＥＰＧ（Electric Program Guide，電子番組ガイド）と呼ばれるシステムが採用されている。
【０００３】
このようなシステムでは，例えば，各放送局から送信される電波（放送信号）の隙間（Vertical Blanking Interval）に，複数のチャンネル各々で現在から将来に渡って放送される番組の内容に関する情報，その放送時間帯に関する情報，放送チャンネルに関する情報等（ＥＰＧ情報）を表すＥＰＧ信号が重畳される。
そして，そのようなＥＰＧ情報を含む放送信号が入力（受信）されたテレビジョン受像機や録画装置において，リモコン等により所定の番組表表示操作がなされると，前記ＥＰＧ情報が放送信号から抽出され，番組表の映像として表示部に表示される。視聴者は，表示された番組表から番組の内容を視覚を通じて把握し，チャンネルの選択を行う。
このような番組表の表示を行うことが可能なテレビ受像機（テレビジョン受像機）が，例えば特許文献１等に知られている。
【０００４】
また，特許文献２には，前記ＥＰＧ情報に含まれる番組の予告画像（静止画）が嵌め込まれた番組表を作成し，それをテレビジョン受像機の表示部に表示させる技術が開示されている。特許文献２に開示されている電子番組ガイド（ＥＰＧ）表示制御装置では，モニタ画面（表示部）が複数の領域に分割されており，分割された領域にそれぞれ番組のジャンル表，放送予定番組のタイトルを放送予定曜日及び放送時間帯に対応させた表，その表に示される放送予定番組のうち視聴者が選択した前記タイトルに対応する番組の予告画像，等が表示される。
【特許文献１】特開平９−１５４０７６号公報
【特許文献２】特開平９−２４７５６５号公報
【発明の開示】
【発明が解決しようとする課題】
【０００５】
しかしながら，特許文献１に開示される技術では，前記番組表における番組内容表示欄はテキスト表示（例えば，番組内容の文章による説明，番組の出演者名等）によるものであり，視聴者が放送される番組の内容を直感的にイメージするのは困難であるという問題点があった。
また，特許文献２に開示される技術では，番組のタイトル，放送時間帯，前記予告画像等が表示されるのは，選択された特定のチャンネルのみであるため，各チャンネルでどのような時間帯にどのような番組が放送されるのか，また，各チャンネルで現在どのような番組を放送中であるのかの全貌を一見して把握できないという問題点もあった。
従って，本発明は上記事情に鑑みてなされたものであり，その目的とするところは，一瞥しただけで複数のチャンネルにおける放送内容を直感的に容易に把握できるＥＰＧシステムを実現する番組表映像生成装置，番組表映像制御装置及びそれを具備するテレビジョン受像機を提供することにある。
【課題を解決するための手段】
【０００６】
上記目的を達成するために本発明は，テレビ放送番組の番組表の映像信号を生成してその映像を表示手段に表示させる番組表映像制御装置及びそれを具備するテレビジョン受像機等に適用される番組表映像信号生成装置であり，テレビ放送における各チャンネルと放送時間帯とに対応付けられた複数の番組内容表示欄が配列された番組表であって，現在放送中の番組に対応する前記番組内容表示欄に各チャンネルの番組の映像信号に基づく画像が嵌め込まれた前記番組表の映像信号を生成する番組映像信号生成装置として構成される。
これにより，一般的な番組表の形式（各チャンネルの識別情報と放送時間帯とに対応付けられた番組内容表示欄が複数配列されたもの）で各チャンネルの内容を一覧できるので，各チャンネルにおいて現在放送中の番組及び将来放送される番組の内容の全貌を容易に把握できる。
ここで，現在時刻が属する放送時間帯に対応付けられた番組表示欄に嵌め込まれる画像が，リアルタイムの動画である場合が考えられる。これにより，特に現在放送中の番組に対応する表示欄については，その番組の動画（リアルタイム映像）が表示されるので，放送内容を直感的に容易に把握することができる。
また，番組表映像信号の生成に用いられる番組情報を表す番組情報信号を，通信回線経由でインターネット上のサーバから取得する，もしくは前記番組情報信号がテレビ放送信号に重畳されている場合に，前記テレビ放送信号から抽出して取得するための構成を有している場合も考えられる。
【０００７】
また，本発明はテレビ放送番組の番組表の映像信号を生成してその映像を表示手段に表示させる番組表映像制御装置として捉えることも可能である。即ち，複数チャンネルの番組の映像信号を含むテレビ放送信号から複数チャンネルの番組の映像信号を並行して抽出し，放送される番組の内容及びその放送時間帯に関する番組情報を表す番組情報信号（いわゆるＥＰＧ信号）を取得し，各チャンネルの識別情報（チャンネル番号等）と放送時間帯とに対応付けられた複数の番組内容表示欄が配列され，現在放送中の番組に対応する（現在時刻が属する放送時間帯の）前記番組内容表示欄については，前記テレビ放送信号から抽出された前記映像信号による動画（現在放送中の番組の動画）が嵌め込まれた番組表の映像信号を生成するよう構成されるものである。
【０００８】
ここで，前記番組情報信号が前記放送信号に含まれており，前記番組情報信号を前記放送信号から抽出して取得するものであることが一例として考えられる。
これにより，前記放送信号と前記番組情報信号とを共通の入力（受信）経路（例えば，アンテナ及びチューナなど）を通じて取得することが可能であり，インターネット等のネットワークを介して，放送信号とは別経路で前記番組情報信号を取得する場合に比べて簡易な構成となる。一方，前記番組情報信号をインターネット上のサーバ等から，通信回線を通じて取得する場合も考えられる。
また，前記番組情報（ＥＰＧ情報）に番組予告画像（静止画）が含まれている場合，前記番組表における現在放送中の番組以外の番組（現在時刻が属する時間帯以外の時間帯の番組）に対応する前記番組内容表示欄については，その番組予告画像が嵌め込まれた番組表の映像信号を生成することも考えられる。
これにより，番組内容を動画（リアルタイム映像）等の前記番組の映像信号に基づく画像で表示できない番組内容表示欄（現在放送中でない番組に対応する表示欄）についても，文字情報で内容表示を行うよりは，より直感的に容易に番組内容を把握することができる。
【０００９】
ところで，表示部の限られた表示エリア内で，各チャンネルと放送時間帯とに対応づけられた番組内容表示欄を並べて番組表を構成した場合，全貌の把握が容易である一方，番組内容表示欄各々の大きさは必然的に小さいものになる。
そこで，例えば外部からの操作入力に従って，前記番組内容表示欄のうちのいずれかを選択する機能を設け，選択された前記番組内容表示欄の表示内容を拡大表示させる映像信号を生成するものであれば，視認性が向上してなお好適である。
【発明の効果】
【００１０】
本発明によれば，現在放送中の番組については，複数のチャンネル各々の番組の映像信号に基づく画像が番組内容表示欄に嵌め込まれた番組表の映像を表示部に表示させることができるので，番組の内容を直感的に容易に把握できる。
また，各チャンネルと放送時間帯とに対応づけられた番組内容表示欄が複数並べられた番組表が構成されるため，現在放送中の各チャンネルの番組のリアルタイム映像と将来放送予定の各チャンネルの番組の内容とを一覧でき，その番組表を一瞥しただけで各チャンネルにおける番組内容の全貌を容易に把握することができる。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る番組表映像制御装置Ａを備えたテレビジョン受像機Ｘの概略構成図，図２はテレビジョン受像機Ｘにおける番組表の表示画面の一例を示す図，図３はテレビジョン受像機Ｘにおける番組表の表示画面の他の一例を示す図，図４はテレビジョン受像機Ｘにおける番組内容表示欄の拡大表示画面の一例を示す図である。
【００１２】
図１に示される本発明の実施の形態に係る番組表映像制御装置Ａは，テレビ放送番組の番組表の映像信号を生成して，その映像を（ディスプレイ等の）映像出力部１２（表示手段の一例）に表示させるものであり，チューナ２，ＥＰＧ抽出回路３，検波回路４，番組表映像信号生成部５等により概略構成される。前記チューナ２，前記検波回路４は，受信アンテナ１により受信される全てのチャンネル（以下，全チャンネルという）に対して各々１つづつ設けられている。
【００１３】
前記チューナ２に接続される受信アンテナ１は，複数チャンネル分の映像信号，及びその映像と同期した音声信号が重畳されたテレビ放送信号を受信するものである。前記テレビ放送信号には，前記受信アンテナ１で受信された複数のチャンネル各々において，現在から将来に渡って放送される番組各々のタイトル，ジャンル，出演者名等のテキスト情報や，場合によってはその番組の代表的な１シーンを表す予告画像等を含む番組内容を表す情報（以下，番組内容情報という）と，各番組の放送時間帯に関する時間情報と，放送チャンネルに関するチャンネル情報とを含む番組情報を表す番組情報信号（ＥＰＧ信号）も含まれている。
前記チューナ２各々は，前記受信アンテナ１により受信された複数チャンネル分の前記テレビ放送信号を入力し，それぞれが複数のチャンネル（前記全チャンネル）のうちの１つを選択（前記テレビ放送信号から１チャンネル分の信号を抽出）するものである。通常，特定の局から伝送される放送信号各々には，前記全チャンネルにおける前記番組情報信号が含まれている。従って，前記チューナ２により抽出された１チャンネル分の信号各々は，前記全チャンネルにおける前記番組情報信号を含むものである。
尚，ここでは，前記チューナ２各々が複数のチャンネル（前記全チャンネル）のうちのいずれのチャンネルを選択するかは予め定められているものとする。
【００１４】
前記ＥＰＧ抽出回路３は，前記チューナ２のうちの１つが選択したチャンネルの信号（前記テレビ放送信号から抽出された１チャンネル分の信号）を入力し，その信号から前記番組情報信号を抽出（取得の一例）するものである。
前記検波回路４各々は，前記チューナ２各々が選択（抽出）したそれぞれのチャンネルの信号から，前記映像信号及び前記音声信号を抽出するものである。前述の通り，前記検波回路４は受信される前記全チャンネルに対して１つずつ割り当てられており，複数の前記検波回路４により複数のチャンネル（前記全チャンネル）の番組の映像信号及び音声信号が並行して抽出される。
前記番組表映像信号生成部５では，前記番組情報に基づいて，前記全チャンネル（複数のチャンネル）について，チャンネル名（識別情報の一例）と放送時間帯とに対応付けられた番組内容表示欄が複数配列された（テレビ放送信号の）番組表を表示する映像信号（以下，番組表映像信号という）が生成される。
【００１５】
また，図１に示されるテレビジョン受像機Ｘは，前記番組表映像制御装置Ａに加え，音声処理回路６，音声出力部７，入力部８，制御回路９，３つのスイッチ回路１０ａ，１０ｂ，１０ｃ，映像処理回路１１，映像出力部１２（表示手段の一例）等から概略構成される。
前記音声処理回路６は，前記検波回路４により抽出された前記音声信号に所定の処理（音量の調節処理や前記音声出力部７の特性に合わせたイコライズ処理，サラウンド処理等）を施すものである。
前記音声出力部７は，例えばスピーカ等の前記音声信号を出力する手段である。
前記入力部８は，例えばリモコンによる当該テレビジョン受像機Ａの操作信号の受信部，若しくは当該テレビジョン受像機Ａの外面等に設けられた操作スイッチ類等の総称である。
前記制御回路９は，ＭＰＵ及びその周辺装置であるＲＯＭ，ＲＡＭ等を備え，そのＲＯＭに予め記憶された制御プログラムを実行することにより当該テレビジョン受像機Ａの統括的な制御を行うものである。例えば，前記入力部８を通じて出力音量の調節操作の入力が行われると，その操作に応じて前記制御回路９が前記音声処理回路６を制御することにより，前記出力音声の調節が行われる。
【００１６】
前記スイッチ回路１０ａは，前記検波回路４各々で抽出（検波）された前記全チャンネル分の映像信号各々のうち，前記映像出力部１２を通じた出力の対象とするチャンネル（以下，出力チャンネル）の映像信号を選択し，選択された映像信号を後述の前記映像処理回路１１に伝送する回路である。同様に，前記スイッチ回路１０ｂは，前記検波回路４各々で抽出（検波）された前記全チャンネル分の音声信号各々のうち，前記出力チャンネルの音声信号を選択し，前記音声処理回路６に伝送する回路である。
前記出力チャンネルは，前記入力部８を通じて前記制御回路９に入力された前記リモコン等によるチャンネル選択の操作信号に従って選択され，前記制御回路９に設定（記憶）されるものである。前記制御回路９は，前記出力チャンネルの設定内容に従って前記スイッチ回路１０ａ，１０ｂを制御することにより，前記スイッチ回路１０ａ及び１０ｂ各々に前記出力チャンネルの映像信号及び音声信号を選択させる。以下，前記出力チャンネルの映像信号のことを，前記番組表映像信号生成部５により生成される前記番組表映像信号と区別して，出力チャンネル映像信号という。
前記映像処理回路１１は，前記出力チャンネル映像信号に所定の処理（例えば，映像信号からの水平及び垂直同期信号の分離，その同期信号に位相同期したクロック信号の生成，映像信号からの輝度信号及び色信号の分離，所定の画質改善処理等）を施すものである。
前記映像出力部１２は，前記映像信号（番組表映像信号，出力チャンネル映像信号）を出力する手段であり，例えば液晶ディスプレイ等である。
前記スイッチ回路１０ｃは，前記番組表映像信号及び前記出力チャンネル映像信号のうちのいずれか一方を選択し，前記映像出力部１２に出力（表示）させる回路である。
【００１７】
本発明の実施の形態に係る番組表映像制御装置Ａを備えたテレビジョン受像機Ｘは，前記出力チャンネル映像信号が前記映像出力部１２より出力される通常モードと，前記番組表映像信号生成部５により生成された前記番組表映像信号が前記映像出力部１２より出力され，例えば図２に示されるような番組表が表示される番組表表示モードとの切替機能を有する。
前記入力部８を通じて前記通常モードと前記番組表表示モードとを切り替える操作入力がなされると，前記制御回路９による前記スイッチ回路１０ｃの制御が行われ，該スイッチ回路１０ｃにより前記映像出力部１２から出力される映像信号（前記番組表映像信号又は前記出力チャンネル映像信号）が切り替えられる。その際，前記制御回路９による前記音声処理回路６の制御も行われ，前記音声信号の出力が禁止（即ち，ミュート状態に）される。
【００１８】
以下に，前記番組表映像信号生成部５による前記番組表映像信号の生成について解説する。
前記番組表映像信号生成部５には，前記ＥＰＧ抽出回路３により抽出された番組情報信号，及び前記検波回路４各々により抽出された各チャンネルの前記映像信号が伝送されており，これらの信号に基づいて前記番組表映像信号が生成される。
前述のように前記番組情報信号は，現在から将来に渡って放送される番組各々のタイトル，ジャンル，出演者名等のテキスト情報，予告画像等を含む前記番組内容情報と，放送時間帯に関する時間情報と，放送チャンネルに関するチャンネル情報とを含む前記番組情報を表すものであり，前記番組表映像信号生成部５では，これらの情報が前記番組情報信号から読み取られる。
【００１９】
図２及び図３は，前記番組表映像信号生成部５による番組表の一例を示す図である。図２及び図３に示されるとおり，前記番組表は横方向に配列されたチャンネル識別情報欄１３及び縦方向に配列された放送時間帯情報欄１４ａ，１４ｂに対応づけられた複数の番組内容表示欄１５ａ，１５ｂが配列されている。
また，前記チャンネル識別情報欄１３には前記放送信号における複数のチャンネル各々の名称（各チャンネルの識別情報の一例）が表示され，前記放送時間帯情報表示欄１４ａ，１４ｂそれぞれには現在時刻を含む時間帯以降の時間帯（放送時間帯）が例えば３０分刻み等で表示されている。なお，最上段の前記放送時間帯情報表示欄１４ａは，現在時刻が属する時間帯の表示欄であり，それより下段の前記放送時間帯表示欄１４ｂは，それ以降の時間帯の表示欄である。
これにより，視聴者は，前記番組内容表示欄１５ａ，１５ｂ各々がいずれのチャンネル及びいずれの放送時間帯に対応しているのかを識別することができる。
【００２０】
また，最上段の前記番組内容表示欄１５ａは，現在放送中の各チャンネルの番組（現在時刻が属する放送時間帯に対応する番組）各々の内容を表示する欄であり，それより下段の前記番組内容表示欄１５ｂは，今後放送予定（現在放送中の番組以外）の各チャンネルの番組各々の内容を表示する欄である。
前記番組表映像信号生成部５には，前記検波回路４各々（複数映像信号抽出手段）で検波（抽出）された複数のチャンネル各々における映像信号がリアルタイムで伝送されている。そして，前記番組表映像信号生成部５は，それらの映像信号各々に基づいて，前記番組内容表示欄１５ａ各々のサイズに応じたサイズ調整を施した縮小動画（リアルタイム映像）をそれぞれ生成し，それらを最上段の前記番組内容表示欄１５ａのうちの対応する箇所にそれぞれ嵌めこんだ番組表の映像を出力ための前記番組表映像信号を生成する。
これにより，前記番組表において，現在放送中の番組各々の内容が各チャンネルの番組の映像信号に基づくリアルタイムの動画（画像の一例）により表示されるので，視聴者は番組内容を直感的かつ容易に把握することが可能である。
【００２１】
一方，現在放送中である番組以外の番組（以下，放送予定番組という）については，リアルタイム映像を取得できない。従って，前記放送予定番組に対応する前記番組内容表示欄１５ｂには，前記番組情報信号から読み取られた前記番組内容情報が表示されるよう，前記番組表映像信号生成部５により前記番組表映像信号が生成される。
その際，前記番組表映像信号生成部５は，前記放送予定番組の前記番組内容表示欄１５ｂ各々について，前記番組内容情報に対応する番組の予告画像が含まれているか否かを判別し，含まれている場合にはその予告画像がそれに対応する前記番組内容表示欄１５ｂに嵌め込まれた番組表を表示させる前記番組表映像信号を生成し，含まれていない場合には番組のタイトルやジャンル等のテキスト情報がそれにそれに対応する前記番組内容表示欄１５ｂに嵌め込まれた番組表を表示させる前記番組表映像信号を生成する。
また，前記放送予定番組の前記番組内容表示欄１５ｂに対応する前記番組内容情報が存在しない（テキスト情報も存在しない）場合には，情報が存在しない旨，或いはその放送時間帯（例えば「６：３０〜７：００」等）等がその番組内容表示欄１５ｂに表示される前記番組表映像信号を生成する。
【００２２】
以上のように，現在放送中の番組の前記映像信号に基づく動画（リアルタイム映像）と，前記放送予定番組に関する前記テキスト情報若しくは前記予告画像とが，それぞれ対応する前記番組内容表示欄１５ａ，１５ｂに嵌め込まれた番組表の前記番組表映像信号が生成され，図２及び図３に示されるようにその番組表の映像が前記映像表示部１２から表示される。このような番組表は，例えば，前記放送時間帯情報表示欄１４ａ，１４ｂ各々に示される放送時間帯の切り替わり時（図２及び図３の例では，６：００，６：３０，７：００等の３０分おき）に更新される。
【００２３】
また，前記番組表映像信号生成部５は，図２及び図３に示すように，番組表の画面内にカーソル１６を表示させる前記番組表映像信号を生成する。このカーソル１６は，前記番組表表示モードにおいて，リモコン等に設けられたカーソル移動キーの操作入力に従って番組表の画面内を上下左右に移動する。
即ち，前記制御回路９が，前記入力部８を通じて取得した前記カーソル移動キーの操作入力情報に従って前記カーソル１６の表示位置（表示座標）を演算し，前記番組表映像信号生成部５が，前記制御回路９から取得した前記カーソル６の表示位置に前記カーソル１６が表示されるよう前記番組表映像信号を生成する。
さらに，前記カーソル１６が前記番組内容表示欄１５ａ，１５ｂのいずれかに重なった状態で，前記入力部８を通じて所定の選択確定操作入力がなされると，前記番組表映像信号生成部５は，前記カーソル１６が重なった前記番組内容表示欄１５ａ，１５ｂが選択されたと認識する。ここで，前記入力部８，前記制御回路９，前記番組表映像信号生成部５が前記番組内容表示欄選択手段の一例である。
【００２４】
前記番組表表示モードにおいて，現在放送中の番組の前記番組内容表示欄１５ａのいずれかが選択されたと認識されると，前記番組表映像信号生成部５は，選択された前記番組内容表示欄１５ａに対応するチャンネル（の識別情報）を前記制御回路９に通知し，前記制御回路９は，通知されたチャンネルを前記出力チャンネルに設定し，その出力チャンネルの映像信号及び音声信号が選択されるよう前記スイッチ回路１０ａ，１０ｂを制御する。さらに，前記スイッチ回路１０ｃを制御することにより，前記出力チャンネルの映像信号を前記映像出力部１２から出力させ，前記番組表表示モードを前記通常モードに切り替える。
一方，前記番組表表示モードにおいて，前記放送予定番組（放送中の番組以外）の前記番組内容表示欄１５ｂのいずれかが選択されたと認識されると，前記番組表映像信号生成部５は，選択された前記番組内容表示欄１５ｂの表示内容が拡大表示されるよう前記番組表映像信号を生成し，その信号を前記スイッチ回路１０ｃを通じて前記映像出力部１２へ出力する。その際，選択された前記番組内容表示欄１５ｂの表示内容以外の情報（タイトル，ジャンル，出演者等のテキスト情報，前記時間情報等）も，拡大表示部分に重ねて或いは付加して表示される前記番組表映像信号を生成してもよい。図４は，前記番組内容表示欄１５ｂの拡大表示画面の一例である。
もちろん現在放送中の番組の前記番組内容表示欄１５ａについても，同様に拡大表示可能に構成したものも考えられる。
これにより，前記番組内容表示欄各々における表示内容の視認性を向上させることができる。尚，前記番組内容表示欄の拡大表示がなされている状態は，前記入力部８を通じて所定の解除操作入力がなされた場合に解除され，元の番組表を表示する状態（図２又は図３）に切り替えられる。
【実施例】
【００２５】
上述の実施形態では，前記放送予定番組の前記番組内容表示欄１５ｂには，前記予告画像が優先的に表示され，前記予告画像が前記番組内容情報に含まれていないような番組についてのみ，補完的にテキスト情報（タイトル，ジャンル，出演者名等）が用いられるものとしたが，予告画像が存在しない場合に（或いは，常に）どのような情報（タイトル，ジャンル，出演者，放送時間帯等）を表示させるかを，前記入力部８を通じた所定の操作入力により予め設定可能とする機能や，番組表を表示させる際に選択可能とする機能等を設けることも考えられる。
例えば，前記番組表表示モードを更に予告画像表示モード（前記番組内容表示欄１５ｂに前記予告画像を表示させるモード）とテキスト表示モード（前記番組内容表示欄１５ｂに前記番組情報等に基づくテキスト情報を表示させるモード）とに区分し，いずれのモード（予告画像表示モード，テキスト表示モード）で番組表の映像を表示させるかを前記入力部８を通じた操作入力により切り替え可能としたもの等が考えられる。
また，前記予告画像が存在しない番組の前記番組内容表示欄１５ｂには，その旨（例えば，「Ｎｏ  Ｐｉｃｔｕｒｅ」等）を表示させるようにすることも考えられる。
【００２６】
上述の実施形態では，現在放送中の番組内容表示欄には，各チャンネルの映像信号に基づいて作成された動画（リアルタイム映像）が嵌め込まれた番組表の映像信号が生成されるものとしたが，前記動画に代わって，前記映像信号から生成された静止画が，対応する番組内容表示欄に嵌め込まれた前記番組表の映像信号が生成されるものとする実施例も考えられる。また，前記動画を表示するか，前記静止画を表示するかが，視聴者による操作入力により設定され選択されるものとしても良い。
また，前記ＥＰＧ信号は，上述の実施形態のように，前記テレビ放送信号から抽出（取得）されるものとは限らず，通信回線を接続する接続端子等をＥＰＧ抽出回路３（図１参照，番組情報取得手段の一例）等に設けておき，前記通信回線を経由して，例えばインターネット上のサーバ等から前記ＥＰＧ信号（番組情報信号）を取得する（いわゆる，ｉ−ＥＰＧを利用する）場合も考えられる。
【００２７】
上述の実施形態では，本発明に係る番組表映像信号生成装置，番組表映像信号制御装置が，テレビジョン受像機に適用される例について説明したが，例えばビデオ装置（ビデオ再生／録画装置）に適用することも可能である。その場合，前記ビデオ装置は，上述の番組表表示モードが選択され前記番組表が表示されている際に，前記番組表の内容表示欄に表示されている番組のうちの１つを視聴者に選択させる機能，及び視聴者により選択された番組を予約，録画する機能，等を有するものであることが望ましい。
【図面の簡単な説明】
【００２８】
【図１】本発明の実施の形態に係る番組表映像制御装置Ａを備えたテレビジョン受像機Ｘの概略構成図。
【図２】テレビジョン受像機Ｘにおける番組表の表示画面の一例を示す図。
【図３】テレビジョン受像機Ｘにおける番組表の表示画面の他の一例を示す図。
【図４】テレビジョン受像機Ｘにおける番組内容表示欄の拡大表示画面の一例を示す図。
【符号の説明】
【００２９】
１…受信アンテナ
２…チューナ
３…ＥＰＧ抽出回路
４…検波回路
５…番組表映像信号生成部
６…音声処理回路
７…音声出力部
８…入力部
９…制御回路
１０ａ，１０ｂ，１０ｃ…スイッチ回路
１１…映像処理回路
１２…映像出力部
１３…チャンネル識別情報欄
１４ａ，１４ｂ…放送時間帯情報表示欄
１５ａ，１５ｂ…番組内容表示欄
【図１】
2006100949.tif 000003
【図２】
2006100949.tif 000004
【図３】
2006100949.tif 000005
【図４】
2006100949.tif 000006